(57)【要約】【課題】  赤外光の照射時間に比例してラインセンサに発生する余分な電荷の影響を抑制した画像読取装置を提供する。【解決手段】  透過原稿２の画像に赤外光および可視光を照射して、前記画像の色成分を赤外成分および可視成分に分解する照明手段８と、前記画像の分解された赤外成分レベルおよび可視成分レベルを画素毎に検出し、前記赤外成分レベルおよび前記可視成分レベルをクロック信号に同期して転送読み出しするラインセンサ１３と、前記ラインセンサ１３に前記クロック信号を供給するクロック信号供給手段２６とを有し、前記赤外成分レベルに基づいて前記画像の欠陥画素を検出する画像読取装置１であって、前記照明手段８の赤外光の照射完了後、前記クロック信号供給手段２６が少なくとも前記ラインセンサ１３の主走査方向の画素数以上のクロック信号を入力した後に、前記ラインセンサ１３が前記赤外成分レベルの転送読み出しを開始することを特徴とする。【選択図】  図１
2005142920.tif 000002
【特許請求の範囲】
【請求項１】
透過原稿の画像に赤外光および可視光を照射して、前記画像の色成分を赤外成分および可視成分に分解する照明手段と、前記画像の分解された赤外成分レベルおよび可視成分レベルを画素毎に検出し、前記赤外成分レベルおよび前記可視成分レベルをクロック信号に同期して転送読み出しするラインセンサと、前記ラインセンサに前記クロック信号を供給するクロック信号供給手段とを有し、前記赤外成分レベルに基づいて前記画像の欠陥画素を検出する画像読取装置であって、
前記照明手段の赤外光の照射完了後、前記クロック信号供給手段が少なくとも前記ラインセンサの主走査方向の画素数以上のクロック信号を入力した後に、前記ラインセンサが前記赤外成分レベルの転送読み出しを開始することを特徴とする画像読取装置。
【請求項２】
透過原稿の画像に赤外光および可視光を照射して、前記画像の色成分を赤外成分および可視成分に分解する照明手段と、前記画像の分解された赤外成分レベルおよび可視成分レベルを画素毎に検出し、前記赤外成分レベルおよび前記可視成分レベルをクロック信号に同期して転送読み出しするラインセンサと、前記ラインセンサに前記クロック信号を供給するクロック信号供給手段と、前記各部を制御する制御部とを有する画像読取装置に用いられるプログラムであって、
前記照明手段が前記透過原稿の画像に赤外光を照射する赤外光照射手順と、前記赤外光照射手順の後に、前記クロック信号供給手段が少なくとも前記ラインセンサの主走査方向の画素数以上のクロック信号を前記ラインセンサに入力するクロック信号供給手順と、前記クロック信号供給手順の後に、前記ラインセンサが、前記赤外成分レベルの転送読み出しを開始する赤外成分レベル転送読み出し手順とを前記制御部に実行させるためのプログラム。
【発明の詳細な説明】
【技術分野】
【０００１】
本発明は、写真フイルム等の透過原稿の画像を読み取る画像読み取り装置において、特に赤外成分レベルの精度を向上させた画像読み取り装置に関する。
【背景技術】
【０００２】
従来、写真フイルム等の透過原稿の画像情報を読み込む画像処理システムは、ホストコンピュータ（パソコンなど）と、入力装置としての画像読取装置とから構成されるものが知られている。この画像読取装置は、透過原稿（例えば、ネガフィルム、リバーサルフィルム、長尺フイルムなど）を照明するＬＥＤなどの照明手段と、透過原稿の透過光を受光素子で光電変換して、画像データをＣＣＤで転送読み出しするラインセンサと、ラインセンサが出力した画像データを演算処理する画像処理部を備えている。そして、画像読取装置は、ホストコンピュータの指示により、透過原稿の画像を読み取って、ホストコンピュータに出力する。
【０００３】
ところで、透過原稿の読み取りにおいて、透過原稿の表面に傷があったり、埃、塵、指紋などの付着物がある場合には、これらが読み取り画像上に黒点または白点として現れ、画質が低下することが知られている。ここで特許文献１には、透過原稿に赤外光（Ｉｒ）を照射し、透過原稿上の傷や付着物などによる欠陥画素を検出して、この欠陥画素の画像データを補正する技術が開示されている。
【０００４】
図４は、特許文献１の画像読取装置に関して、照明手段およびラインセンサの制御の一例を示した図である。φＲＯＧの入力ｔ0があると、ラインセンサの受光素子はそれまで蓄積した電荷をＣＣＤに移動させる。その後、照明手段が赤外光（Ｉｒ）の照射を所定時間行なう。受光素子は入射したＩｒの原稿透過光の光電変換を行い、Ｉｒの信号電荷を蓄積する。そして、φＲＯＧの入力ｔ1があると、Ｉｒの信号電荷（ｔ0〜ｔ1間の蓄積電荷）がＣＣＤに移動する。
【０００５】
一方、ｔ0〜ｔ1間において、ラインセンサのＣＣＤは、φＲＯＧの入力ｔ0でＣＣＤに移動した電荷を、入力された画素数分のクロック信号に同期して転送読み出しする。
そして、φＲＯＧの入力ｔ1の後、照明手段は赤色光（Ｒ）の照射を所定時間行なう。受光素子は入射したＲの原稿透過光の光電変換を行い、Ｒの信号電荷を蓄積する。また、ｔ1〜ｔ2間において、ラインセンサのＣＣＤは、Ｉｒの信号電荷（ｔ0〜ｔ1間の蓄積電荷）を、入力された画素数分のクロック信号に同期して転送読み出しする。
【特許文献１】特許第２５５９９７０号公報
【発明の開示】
【発明が解決しようとする課題】
【０００６】
しかし、ラインセンサの特性上、赤外光（Ｉｒ）が照射された場合には、赤外光の照射時間に比例して、受光素子以外の部分でもＣＣＤに電荷が発生することがある。この場合、ラインセンサのＣＣＤは、受光素子で光電変換された信号電荷だけでなく、赤外光によって受光素子以外で発生した電荷も転送読み出しすることになる。上記図４の例でいえば、赤外線を照射したｔ0〜ｔ1の期間では、ＣＣＤは、ｔ0でＣＣＤに移動した受光素子の電荷と、ｔ1〜ｔ2間における受光素子以外で発生した余分な電荷を転送することになる。
【０００７】
ここで、ＣＣＤは、入力されたクロック信号に同期して、ＣＣＤの一端側から他端側に向かって、１画素分づつ電荷を転送する。そのため、赤外光の照射終了後に入力されるクロック信号が、ラインセンサの主走査方向の画素数より少ない場合には、画素数とクロック信号の入力数との差だけ、受光素子以外で発生した電荷がＣＣＤに残ってしまう。そのため、図５に示すように、次のｔ1〜ｔ2間でＣＣＤから転送読み出しされるＩｒの信号電荷に余分な電荷が加わって、Ｉｒの画像データにノイズが混入する点で改善の余地があった。
【０００８】
本発明は上記従来技術の課題を解決するためにされたものであり、その目的は、赤外光の照射時間に比例してラインセンサに発生する余分な電荷の影響を抑制した画像読取装置を提供することである。
【課題を解決するための手段】
【０００９】
請求項１の発明は、透過原稿の画像に赤外光および可視光を照射して、前記画像の色成分を赤外成分および可視成分に分解する照明手段と、前記画像の分解された赤外成分レベルおよび可視成分レベルを画素毎に検出し、前記赤外成分レベルおよび前記可視成分レベルをクロック信号に同期して転送読み出しするラインセンサと、前記ラインセンサに前記クロック信号を供給するクロック信号供給手段とを有し、前記赤外成分レベルに基づいて前記画像の欠陥画素を検出する画像読取装置であって、前記照明手段の赤外光の照射完了後、前記クロック信号供給手段が少なくとも前記ラインセンサの主走査方向の画素数以上のクロック信号を入力した後に、前記ラインセンサが前記赤外成分レベルの転送読み出しを開始することを特徴とする。
【００１０】
請求項２の発明は、透過原稿の画像に赤外光および可視光を照射して、前記画像の色成分を赤外成分および可視成分に分解する照明手段と、前記画像の分解された赤外成分レベルおよび可視成分レベルを画素毎に検出し、前記赤外成分レベルおよび前記可視成分レベルをクロック信号に同期して転送読み出しするラインセンサと、前記ラインセンサに前記クロック信号を供給するクロック信号供給手段と、前記各部を制御する制御部とを有する画像読取装置に用いられるプログラムであって、前記照明手段が前記透過原稿の画像に赤外光を照射する赤外光照射手順と、前記赤外光照射手順の後に、前記クロック信号供給手段が少なくとも前記ラインセンサの主走査方向の画素数以上のクロック信号を前記ラインセンサに入力するクロック信号供給手順と、前記クロック信号供給手順の後に、前記ラインセンサが、前記赤外成分レベルの転送読み出しを開始する赤外成分レベル転送読み出し手順とを前記制御部に実行させるためのプログラムである。
【発明の効果】
【００１１】
本発明の画像読取装置では、照明手段の赤外光の照射完了後に、クロック信号供給手段が少なくともラインセンサの主走査方向の画素数以上のクロック信号を入力する。そして、画素数以上のクロック信号の入力があった後に、ラインセンサは赤外成分レベルの転送読み出しを開始する。すなわち、本発明によれば、受光素子以外で発生した余分な電荷は、赤外光の照射完了後に入力されたクロック信号によって、読出ゲート信号の入力前にすべて出力される。したがって、赤外光の赤外成分レベルは、この余分な電荷の影響で精度が低下することがない。
【発明を実施するための最良の形態】
【００１２】
以下、図面に基づいて本発明の実施の形態を詳細に説明する。
（第１実施形態の構成）
図１は、第１実施形態の画像読取装置１の構成を示す図である（請求項１の画像読取装置と、請求項２のプログラムに対応する）。
画像読取装置１は、透過原稿２（例えば、ネガフイルム、リバーサルフィルム、長尺フイルム等）の画像を光電変換して、画像データを生成するものである。画像読取装置１は、読み取り光学系３と、透過原稿アダプタ４と、ライン移動機構５と、制御部６とから構成されている。そして、画像読取装置１はホストコンピュータ７に接続され、ホストコンピュータ７から操作される。
【００１３】
読み取り光学系３は、光源８と、トーリックミラー９と、反射ミラー１０、１１と、投影レンズ１２と、ラインセンサ１３とから構成されている。
光源８は、主走査方向に延伸するように配置された複数のＬＥＤで構成されている。これらのＬＥＤは、可視波長成分の異なる３種類の可視光（例えば、赤（Ｒ）、緑（Ｇ）、青（Ｂ））と、赤外光（Ｉｒ）とを照射可能に構成されている。すなわち、光源８は、所定のタイミングで選択的に３種類の可視光および赤外光を発光できる。ここで、３種類の可視光を照射するのは透過原稿２の画像の色成分を複数の可視成分に分解するためであり、赤外光を照射するのは透過原稿２の画像の色成分を赤外成分に分解するためである。なお、赤外光の照射で得られた画像は、透過原稿２の付着物、傷の検出に用いられる。
【００１４】
トーリックミラー９および反射ミラー１０は、光源８からの光を反射して透過原稿２に入射させるために配置されている。また、反射ミラー１１は、透過原稿２を隔てて光源８の反対側に配置され、透過原稿２の透過光を反射して投影レンズ１２に入射させる。投影レンズ１２は、透過原稿２の透過光が長手方向に広がる状態となるように、透過原稿２の透過光をラインセンサ１３に結像させる。
【００１５】
ラインセンサ１３は、主走査方向１ライン分の画像の読み取りを行う。このラインセンサ１３は、主走査方向に配列された複数（ｎ個）の受光素子と、ＣＣＤなどの転送読み出し部とから構成される。
このラインセンサ１３の受光面は、投影レンズ１２に相対して配置されており、反射ミラー１１および投影レンズ１２を経た透過光（Ｒ、Ｇ、Ｂ、Ｉｒ）がラインセンサ１３に入射するようになっている。ラインセンサ１３は、３種類の可視光、赤外光の何れかが選択的に照射されたとき、その輝度レベルを示す１ライン分の電荷信号を、１画素づつ制御部６に転送する。
【００１６】
透過原稿アダプタ４は、読み取り光学系３が透過原稿２を検出する位置に透過原稿２を送り出し、所定位置で保持固定するものである。透過原稿アダプタ４には、その前方に透過原稿２を挿入するための透過原稿挿入口１４が形成され、これに透過原稿送給路１５が接続されている。透過原稿送給路には、モータ（図示を省略する）の動力で回転する駆動ローラ１６と、従動ローラ１７とからなる上下１組のローラ対が、複数組配置されている。そして、透過原稿挿入口１４に挿入された透過原稿２は、回転するローラ対に案内されて、透過原稿送給路１５に沿って移動する。
【００１７】
ライン移動機構５は、読み取り光学系３を副走査方向（走査方向と直交する方向）に移動させる。このライン移動機構５は、ステッピングモータ１８により回転されるリードねじ１９と、読み取り光学系３の下側に設けられ、リードねじ１９と螺合するナット部２０との組み合わせによるねじ対偶機構で構成されている。
制御部６は、画像読取装置１の各部を制御し、また読み取り光学系３からの電気信号を信号処理して画像データを生成する。制御部６は、アナログ処理回路２１、Ａ／Ｄ変換回路２２と、信号処理回路２３と、メモリ２４と、インターフェース回路２５と、コントロール回路２６と、マイクロプロセッサユニット（ＭＰＵ）２７と、プログラムメモリ２８とから構成されている。
【００１８】
アナログ処理回路２１は、サンプルホールド回路、クランプ回路、オフセット回路等で構成される。ラインセンサ１３から順次（１画素ずつ）転送されてくる電荷信号に対し、サンプルホールド回路では不要信号成分の除去等の信号処理が、クランプ回路では信号の一部をクランプする安定化処理が、オフセット回路では信号レベルを所定レベルに合わせる処理が、各々、施される。
【００１９】
Ａ／Ｄ変換回路２２では、アナログ処理回路２１からのアナログ信号がディジタル信号（画像データ）に変換される。信号処理回路２３では、シェーディング補正やガンマ補正等の信号処理が行われる。
メモリ２４は、ラインセンサ１３の主走査によって検出された１ライン分の画像データを一時的に記録する。インターフェース回路２５はホストコンピュータ７との間の信号レベルの調節を行う。また、コントロール回路２６は、光源８の点灯を制御するための制御信号、ラインセンサ１３用のクロック信号（ＣＬＫ）／読出ゲート信号（ＲＯＧ）等の制御信号などを、各々、出力する。
【００２０】
ＭＰＵ２７は、光源８から照射される光の種類（Ｒ、Ｇ、Ｂ、Ｉｒの何れか）、光源８の点灯時間などを決定する。この光源８の点灯時間の制御によりラインセンサ１３の蓄積時間（信号電荷の蓄積）中に蓄積される電荷量（光量に対応）が調整される。また、ＭＰＵ２７は、光源８の点灯時間に関連付けて、ラインセンサ１３による電荷の蓄積／転送のタイミングを決定する。このように決定された指令内容を示す各種指令信号は、コントロール回路２６によって具体的な制御信号に変換され、コントロール回路２６より光源８、ラインセンサ１３等に出力される。
【００２１】
また、ＭＰＵ２７は、ラインセンサ１３からの信号電荷に基づいて、可視光の各色成分（Ｒ、Ｇ、Ｂ）及び赤外光（Ｉｒ）の、計４チャンネルの画像データ（可視画像データ、赤外画像データ）を認識する。そして、ＭＰＵ２７は、ラインセンサ１３による１ライン分の画像データの取得が行われたことを認識した後、ステッピングモータ１８に所定数の駆動信号を出力して、読み取り光学系３を副走査方向に移動させる。
【００２２】
さらに、ＭＰＵ２７は、プリスキャン時に生成された画像データ（可視成分レベル、赤外成分レベル）に基づいて、主スキャン時の露出量（露光時間）、階調変換特性等を決定し、欠陥画素の補正演算を実行する。なお、プログラムメモリ２８には、ＭＰＵ２７が実行する主スキャン用プログラム、プリスキャン用プログラムなどが記録されている。
一方、画像読取装置１が接続されるホストコンピュータ７は、ＣＰＵと、メモリと、ＨＤＤなどの記録部と、入出力装置（キーボード、ポインティングデバイス、モニタなど）とを備えている。ホストコンピュータ７の記録部には、画像読取装置１をコンピュータ側から制御するためのドライバがインストールされている。すなわち、ユーザーはホストコンピュータ７の入出力装置を操作し、この操作内容に応じて、ホストコンピュータ７から画像読取装置１のＭＰＵ２７に指示信号が出力される。
【００２３】
（第１実施形態の作用）
第１実施形態の画像読取装置１は上記のように構成され、以下、第１実施形態の画像読取装置１の動作説明を行う。
まず、ユーザーは透過原稿２を透過原稿アダプタ４に挿入し、ホストコンピュータ７から画像データ生成の操作を行う。ホストコンピュータ７は、濃度情報を取得するためのプリスキャン実行の指示を出し、画像読取装置１はこの指示信号を受けて透過原稿２に対するプリスキャンを実行する。なお、プリスキャンは主スキャンに先だって行われ、このプリスキャンによって、主スキャン時の画像読取条件（露光時間、階調変換特性など）が決定される。
【００２４】
プリスキャン実行の指示を受けると、まず、ＭＰＵ２７は、プリスキャン時の光源８の点灯時間（Ｒ、Ｇ、Ｂ、Ｉｒ）を一定の値に設定する。そして、ＭＰＵ２７は、ステッピングモータ１８を駆動させて、読み取り光学系３をスキャン開始位置に移動させる。
次に、ＭＰＵ２７は、光源８に赤外光（Ｉｒ）と可視光（Ｒ、Ｇ、Ｂ）とを順次照射させ、ラインセンサ１３がこれらの光を光電変換する。そして、ＭＰＵ２７は、ラインセンサ１３で得られた電荷信号に基づいて主走査方向１ライン分の画像データを取得する。その後、ＭＰＵ２７はステッピングモータ１８を駆動させて、読み取り光学系３を副走査方向へ移動させ、次の主走査方向１ライン分の画像データを取得する。この手順を順次繰り返して、１画面分のプリスキャンが行われる。
【００２５】
ここで、プリスキャンで赤外光を照射するのは、透過原稿２の画像と無関係に、その表面の付着物や傷のみを検知できるからである。透過原稿（フイルム）２の色素は、一般的に赤外光をほぼ１００％透過する。そのため、赤外光の照射で得られた画像は色素以外の要素（付着物等の欠陥）で輝度が低下する。すなわち、赤外成分レベルの低下分が欠陥画素に相当する。
【００２６】
図２は、第１実施形態でのプリスキャン時の光源８およびラインセンサ１３の制御を示した図である。
最初に、コントロール回路２６は、ＭＰＵ２７の指示によりラインセンサ１３にφＲＯＧを入力（ｔ0）し、受光素子の信号電荷を転送読みだし部に移動させる。コントロール回路２６は、ラインセンサ１３にクロック信号（φＣＬＫ）を入力する。これにより、転送読みだし部の信号電荷（ｔ0で転送読みだし部に移動した電荷）と、後述の受光素子以外で発生した電荷とが、クロック信号に同期してアナログ処理回路２１に転送される。
【００２７】
一方、コントロール回路２６は光源８にＩｒのＬＥＤの点灯信号を入力する。そして、光源８はＭＰＵ２７が設定した時間まで赤外光を照射する。ラインセンサ１３の受光素子は、入射したＩｒの原稿透過光を光電変換して、Ｉｒの信号電荷を蓄積する。
赤外光の照射完了後、ＭＰＵ２７は、ラインセンサ１３のクロック信号の入力をカウントする。カウント数がラインセンサ１３の画素数ｎ以上の所定値となった時点で、ＭＰＵ２７はコントロール回路２６を制御して、ラインセンサ１３にφＲＯＧを入力（ｔ1）する。
【００２８】
ここで、赤外光の照射完了後に、ラインセンサ１３に画素数ｎ以上のクロック信号を入力するのは、以下の理由による。
このｔ0〜ｔ1間では、赤外光の照射時間に比例して、ラインセンサ１３の受光素子以外の部分でも余分な電荷が発生する。すなわち、ｔ0〜ｔ1間におけるラインセンサ１３の転送読みだし部では、ｔ0で転送読み出し部に移動した信号電荷と、ｔ0〜ｔ1間における受光素子以外で発生した電荷が転送される。
【００２９】
ラインセンサ１３の転送読み出し部は、入力されたクロック信号に同期して、転送読み出し部の一端側から他端側に向かって、１画素分づつ電荷を転送する。そのため、赤外光の照射完了後にクロック信号の入力が十分でない場合には、φＲＯＧが入力（ｔ1）された時点で、画素数ｎとクロック信号の入力数との差だけ、この余分な電荷が転送読み出し部に残ってしまう。この場合には、次のｔ1〜ｔ2間で転送読み出しされるＩｒの信号電荷に余分な電荷が加わり、Ｉｒの画像データ（赤外成分レベル）にノイズが混入して、補正精度が低下することになる。
【００３０】
そこで、第１実施形態では、赤外光の照射完了後に画素数ｎ以上のクロック信号を入力し、次に転送読み出しされるＩｒの信号電荷が、この余分な電荷の影響を受けないようにしたものである。
コントロール回路２６は、ラインセンサ１３にφＲＯＧが入力（ｔ1）された後、光源８にＲのＬＥＤの点灯信号を入力する。そして、光源８はＭＰＵ２７が設定した時間まで赤色の可視光を照射する。ラインセンサ１３の受光素子は、入射したＲの原稿透過光を光電変換して、Ｒの信号電荷を蓄積する。そして、コントロール回路２６は所定のタイミング（クロック信号の入力が画素数ｎとなったとき）でφＲＯＧを入力（ｔ2）し、Ｒの信号電荷（ｔ1〜ｔ2間の蓄積電荷）を転送読みだし部に移動させる。
【００３１】
また、ｔ1〜ｔ2間において、ラインセンサ１３の転送読み出し部は、Ｉｒの信号電荷（ｔ0〜ｔ1間の蓄積電荷）を、入力された画素数ｎ分のクロック信号に同期して転送読み出しする。ここで、受光素子以外で発生した余分な電荷は、赤外光の照射完了後に入力されたクロック信号によって、φＲＯＧの入力（ｔ1）前にすべて出力される。したがって、赤外成分レベルが、この余分な電荷の影響で精度が低下することがない。
【００３２】
その後、同様の手順で、ＭＰＵ２７は、可視光（Ｇ）を照射させて、Ｇの信号電荷を受光素子に蓄積させる一方で、その間に転送読み出し部のＲの信号電荷をアナログ処理回路２１に転送する。さらに、ＭＰＵ２７は、可視光（Ｂ）を照射させて、Ｂの信号電荷を受光素子に蓄積させる一方で、その間に転送読み出し部のＧの信号電荷をアナログ処理回路２１に転送する。こうして、赤外光（Ｉｒ）および可視光（Ｒ、Ｇ、Ｂ）の主走査方向１ライン分の画像データが生成される。
【００３３】
なお、次の１ラインを読み込む前には、空読み込みの時間を設けて、転送読みだし部のＢの信号電荷をアナログ処理回路２１にすべて転送するのが望ましい。これは、前のラインのＢの読み込みと、次のラインのＩｒの読み込みとを連続させるとＩｒの照射時にＢの信号電荷が転送されることになり、赤外光の影響でＢの信号電荷に余分な電荷が加わるためである。
【００３４】
そして、ＭＰＵ２７は、上記のプリスキャンで取得された画像データの各画素について、赤外成分レベルに基づいて「赤外補正」を行う。図３は、「赤外補正」を説明するための図である。なお、ここでは説明を簡単にするために赤（Ｒ）成分についての「赤外補正」について説明するが、Ｇ成分、Ｂ成分についても、同様の手順で「赤外補正」が行われる。
【００３５】
透過原稿２上に欠陥がない場合、赤外成分レベルは、一定値（最大値ＩＲ）を示す。欠陥がある場合、赤外成分レベルは、一定値（最大値ＩＲ）から欠陥（付着物、傷等）によって減衰された分だけ、小さな値（減衰値ＩＲ’）を示す。
ＭＰＵ２７は、予めメモリ２４に記憶された既知の最大値ＩＲの値を読み出す。そして、ＭＰＵ２７は、プリスキャンで取得した透過原稿２の赤外成分レベル（減衰値ＩＲ’）と、最大値ＩＲとから、透過原稿２にある付着物、傷等による赤外光の減衰の度合いを示す補正係数ｋ（＝ＩＲ／ＩＲ’）を各画素ごとに生成する。
【００３６】
さらに、ＭＰＵ２７は、可視光（ここでは赤色光）の照射で取得した可視成分レベル（Ｒ）をメモリ２４から読み出す。この可視成分レベル（Ｒ）は、記録された像の画像データと異物、傷等による光量の減衰分の両方を含むものである。そして、この可視成分レベル（Ｒ）に上記の補正係数ｋを乗算することで、減衰分を含む透過レベル（Ｒ）に対して、異物、傷等による影響（減衰）を除去した透過レベル（Ｒ’）が求められる。
【００３７】
上記手順の後、画像読取装置１は、プリスキャンで決定された画像読取条件（露出量、階調変換特性、補正係数ｋなど）にしたがって、主スキャンを実行する。
主スキャン実行の指示を受けると、ＭＰＵ２７は、光源８の可視光の点灯時間（Ｒ、Ｇ、Ｂ）を一定の値に設定する。そして、ＭＰＵ２７は、ステッピングモータ１８を駆動させて、読み取り光学系３をスキャン開始位置に移動させる。ＭＰＵ２７は、光源８に可視光（Ｒ、Ｇ、Ｂ）を順次照射させ、ラインセンサ１３がこれらの光を光電変換する。そして、ＭＰＵ２７は、ラインセンサ１３で得られた電荷信号に基づいて主走査方向１ライン分の画像データを取得する。その後、ＭＰＵ２７はステッピングモータ１８を駆動させて、読み取り光学系３を副走査方向へ移動させ、次の主走査方向１ライン分の画像データを取得する。この手順を順次繰り返して、１画面分の主スキャンが行われる。主スキャンによってラインセンサ１３から取得された画像データは、補正係数ｋによる欠陥画素の補正処理などの画像処理を施された後、ホストコンピュータ７に転送され、ホストコンピュータ７の記録部等に記録される。
【００３８】
（第１実施形態の効果）
第１実施形態では、赤外光の照射完了後に、ラインセンサの主走査方向の画素数ｎ以上のクロック信号が、ラインセンサに入力される。したがって、赤外光の影響によって受光素子以外で発生した余分な電荷は、読出ゲート信号の入力前にすべてクロック信号に同期して出力される。そのため、次に転送読み出しされる赤外光の信号電荷で生成される赤外成分レベルに、この余分な電荷によるノイズが混入することがない。
【００３９】
（実施形態の補足事項）
以上、本発明を上記の実施形態によって説明してきたが、本発明の技術的範囲は上記実施形態に限定されるものではない。例えば、第１実施形態では、赤色光、緑色光、青色光を用いたが、画質向上などの目的でこれ以外の波長の光を用いてもよい。また、ラインセンサ１３にカラーフィルタを設けて、可視光の照射を白色光のみで行うようにしてもよい。
【００４０】
また、第１実施形態では、１ライン毎に各色光での画像読み取りを繰り返す方式（線順次方式）の画像読取装置の例を示したが、各色光ごとに画像読み取りを１画面分連続して行い、複数回の画面読み込みを行う方式（面順次方式）の画像読取装置に本発明を適用してもよい。
さらに、第１実施形態では、画像読取装置のＭＰＵが、補正係数の生成および欠陥画素の補正を行っているが、ホストコンピュータのソフトウエアが補正係数の生成および欠陥画素の補正を行うようにしてもよい。
【００４１】
さらにまた、可視光照射時（特に赤色光の照射時）に受光素子以外で電荷が発生する場合、可視光の照射完了後に画素数ｎ以上のクロック信号を入力することで、ラインセンサに発生する余分な電荷の影響を同様に抑制することができる。
【産業上の利用可能性】
【００４２】
写真フイルム等の透過原稿の画像を読み取る画像読み取り装置において、赤外成分レベルの精度を向上させることができる。
【図面の簡単な説明】
【００４３】
【図１】第１実施形態の画像読取装置の構成を示す図である。
【図２】第１実施形態でのプリスキャン時の光源およびラインセンサの制御を示した図である。
【図３】第１実施形態の「赤外補正」を説明するための図である。
【図４】従来技術におけるプリスキャン時の光源およびラインセンサの制御を示した図である。
【図５】赤外線照射完了後のラインセンサの出力を示す図である。
【符号の説明】
【００４４】
１      画像読取装置
２      透過原稿
３      読み取り光学系
４      透過原稿アダプタ
５      ライン移動機構
６      制御部
７      ホストコンピュータ
８      光源
９      トーリックミラー
１０、１１  反射ミラー
１２    投影レンズ
１３    ラインセンサ
１４    透過原稿挿入口
１５    透過原稿送給路
１６    駆動ローラ
１７    従動ローラ
１８    ステッピングモータ
１９    リードねじ
２０    ナット部
２１    アナログ処理回路
２２    Ａ／Ｄ変換回路
２３    信号処理回路
２４    メモリ
２５    インターフェース回路
２６    コントロール回路
２７    マイクロプロセッサユニット（ＭＰＵ）
２８    プログラムメモリ
【図１】
2005142920.tif 000003
【図２】
2005142920.tif 000004
【図３】
2005142920.tif 000005
【図４】
2005142920.tif 000006
【図５】
2005142920.tif 000007